(57)【要約】【課題】  写真の仕分け処理を効率的に行う。【解決手段】  端末装置２のＣＰＵ２１１は、注文情報を受け付ける注文受付部２１１ｂと、出力装置１に対して注文された写真の出力指示情報を利用者毎に送信する出力制御部２１１ｃとを備え、サーバ装置３のＨＤＤ３２は、画像データを格納する画像記憶部３２ａと、注文情報を格納する注文情報記憶部３２ｂとを備え、出力制御部２１１ｃは、利用者毎に、注文情報記憶部３２ｂから写真のプリント枚数データを順次読み出し、画像記憶部３２ａから読み出された画像データをその写真に対応するプリント枚数だけプリントする旨の出力指示情報を出力装置１に対して送信する。【選択図】      図５
2005181653.tif 000002
【特許請求の範囲】
【請求項１】
複数の写真の画像データを格納し、前記写真毎のプリント枚数を管理し前記プリント枚数に写真をプリントする写真処理装置であって、
前記写真の画像データを写真の識別情報である写真識別情報と対応付けて格納する画像記憶手段と、
外部からの入力を受け付けて利用者毎の識別情報である利用者識別情報と前記写真毎のプリント枚数とを受け付ける注文受付手段と、
前記注文受付手段によって受け付けられた情報に応じて、前記写真識別情報及び前記写真識別情報に対応する写真のプリント枚数データを前記利用者識別情報に対応付けて格納する注文情報記憶手段と、
前記注文情報記憶手段から前記利用者識別情報毎に対応する前記写真識別情報と前記写真識別情報に対応する写真のプリント枚数データとを順次読み出すと共に、読み出された写真識別情報に対応する画像データを前記画像記憶手段から読み出して、読み出された画像データをその写真識別情報に対応するプリント枚数だけプリントする出力手段とを備えることを特徴とする写真処理装置。
【請求項２】
前記写真の画像データを圧縮及び解凍する圧縮解凍手段を備え、
前記画像記憶手段は、前記圧縮解凍手段によって圧縮された画像データを格納し、
前記出力手段は、前記画像記憶手段から圧縮された画像データを読み出して前記圧縮解凍手段を用いて解凍することを特徴とする請求項１に記載の写真処理装置。
【請求項３】
前記注文受付手段は、外部からの入力を受け付けて前記写真毎のプリントサイズ及びプリントサイズ毎のプリント枚数を受け付け、
前記注文情報記憶手段は、前記写真識別情報に対応する写真のプリントサイズデータ及びプリントサイズ毎のプリント枚数データを前記利用者識別情報に対応付けて格納し、
前記出力手段は、前記注文情報記憶手段から前記写真識別情報に対応する写真のプリントサイズデータ及びプリント枚数データを順次読み出し、前記画像記憶手段から読み出された画像データをその写真識別情報に対応するプリントサイズにプリント枚数だけプリントすることを特徴とする請求項１または２に記載の写真処理装置。
【請求項４】
前記出力手段は、複数の出力位置を有し、
前記利用者識別情報毎に、異なる出力位置にプリントされた写真を出力することを特徴とする請求項１〜３のいずれかに記載の写真処理装置。
【請求項５】
複数の写真の画像データを格納し、前記写真毎のプリント枚数を管理し前記プリント枚数に写真をプリントする写真処理装置を用いた写真処理方法であって、前記写真処理装置に、
前記写真の画像データを写真の識別情報である写真識別情報と対応付けて格納する画像記憶処理と、
外部からの入力を受け付けて利用者毎の識別情報である利用者識別情報と前記写真毎のプリント枚数とを受け付ける注文受付処理と、
前記注文受付処理において受け付けられた情報に応じて、前記写真識別情報及び前記写真識別情報に対応する写真のプリント枚数データを前記利用者識別情報に対応付けて格納する注文情報記憶処理と、
前記利用者識別情報毎に対応する前記写真識別情報と前記写真識別情報に対応する写真のプリント枚数データとを順次読み出すと共に、読み出された写真識別情報に対応する画像データを読み出して、読み出された画像データをその写真識別情報に対応するプリント枚数だけプリントする出力処理とを実行させることを特徴とする写真処理方法。
【請求項６】
複数の写真の画像データを格納し、前記写真毎のプリント枚数を管理し前記プリント枚数に写真をプリントする写真処理装置の写真処理プログラムであって、前記写真処理装置を、
前記写真の画像データを写真の識別情報である写真識別情報と対応付けて格納する画像記憶手段と、
外部からの入力を受け付けて利用者毎の識別情報である利用者識別情報と前記写真毎のプリント枚数とを受け付ける注文受付手段と、
前記注文受付手段によって受け付けられた情報に応じて、前記写真識別情報及び前記写真識別情報に対応する写真のプリント枚数データを前記利用者識別情報に対応付けて格納する注文情報記憶手段と、
前記注文情報記憶手段から前記利用者識別情報毎に対応する前記写真識別情報と前記写真識別情報に対応する写真のプリント枚数データとを順次読み出すと共に、読み出された写真識別情報に対応する画像データを前記画像記憶手段から読み出して、読み出された画像データをその写真識別情報に対応するプリント枚数だけプリントする出力手段として機能させることを特徴とする写真処理プログラム。
【発明の詳細な説明】
【技術分野】
【０００１】
本発明は、複数の写真の画像データを格納し、前記写真毎のプリント枚数を管理し前記プリント枚数に対応した枚数の写真をプリントする写真処理装置、写真処理方法及び写真処理プログラムに関する。
【背景技術】
【０００２】
従来、学校や団体の行事写真などの写真は、以下のようにして受注及びプリント処理が行われていた。まず、団体や学校が写真館やＤＰ店などに写真撮影を依頼すると、写真館またはＤＰ店などがカメラマンの派遣や何枚程度写真を撮影するかなどの段取りを決め、行事で段取りに基づいて写真撮影が行われる。撮影されたフィルムは現像処理され、見本写真プリントが作成される。そして、作成された見本写真プリントを貼り並べてそれぞれの見本写真プリントの傍に通し番号を付した見本写真パネル（以下、掲示用見本という）が作成される。
【０００３】
一方、注文伝票としての写真注文袋は、プリント注文を識別する学校、学年、組、氏名等の利用者識別情報と、写真番号、プリントサイズ、枚数等の注文情報が記入できるようになっている。学校や団体は各人に写真注文袋を渡し、掲示用見本を壁等に掲示し、写真注文袋に各人の名前と各人の注文したい写真の番号を記載して、注文を回収しにきた写真館またはＤＰ店などに渡される。写真館またはＤＰ店などでは、渡された写真注文袋を基に、写真注文袋に記載された注文情報に従って、プリント処理を行い、写真注文袋毎に仕分けし袋詰めをして納品する。
【０００４】
しかし、写真を写真注文袋毎に仕分けし袋詰めする仕分け作業は、プリント処理を行うオペレータ等が人手で行うため、膨大で且つ煩雑な作業であった。そこで、受付機によって写真プリントの注文内容を全て集計し、写真プリントの仕分けに応じてデータを編集し、この編集されたデータに基づいて自動焼付機等でプリントされた写真プリントを仕分機によって仕分ける写真プリントの生産方法及び生産システムが提案されている（特許文献１参照）。
【特許文献１】特開平８−２４８６１２号公報
【発明の開示】
【発明が解決しようとする課題】
【０００５】
上記の方法によれば、多数のプリント注文を間違いなく、短時間に仕分け処理を行うことができる。しかし、上記の方法を使用する場合には、自動焼付機等のプリント処理を行う装置以外に、仕分機等の仕分け処理を行う装置が必要であるため、設備費が増大するという課題がある。
【０００６】
本発明は、上記課題に鑑みてなされたもので、写真の仕分け処理を効率的に行う画像処理装置を提供することを目的とする。
【課題を解決するための手段】
【０００７】
請求項１に記載の写真処理装置は、複数の写真の画像データを格納し、前記写真毎のプリント枚数を管理し前記プリント枚数に写真をプリントする写真処理装置であって、前記写真の画像データを写真の識別情報である写真識別情報と対応付けて格納する画像記憶手段と、外部からの入力を受け付けて利用者毎の識別情報である利用者識別情報と前記写真毎のプリント枚数とを受け付ける注文受付手段と、前記注文受付手段によって受け付けられた情報に応じて、前記写真識別情報及び前記写真識別情報に対応する写真のプリント枚数データを前記利用者識別情報に対応付けて格納する注文情報記憶手段と、前記注文情報記憶手段から前記利用者識別情報毎に対応する前記写真識別情報と前記写真識別情報に対応する写真のプリント枚数データとを順次読み出すと共に、読み出された写真識別情報に対応する画像データを前記画像記憶手段から読み出して、読み出された画像データをその写真識別情報に対応するプリント枚数だけプリントする出力手段とを備えることを特徴としている。
【０００８】
上記の構成によれば、画像記憶手段に、写真の画像データが写真の識別情報である写真識別情報と対応付けて格納されており、注文受付手段によって、外部からの入力が受け付けられて利用者毎の識別情報である利用者識別情報と写真毎のプリント枚数とが受け付けられ、注文情報記憶手段に、注文受付手段によって受け付けられた情報に応じて、写真識別情報及び前記写真識別情報に対応する写真のプリント枚数データが利用者識別情報に対応付けて格納される。そして、出力手段によって、注文情報記憶手段から利用者識別情報毎に対応する写真識別情報と写真識別情報に対応する写真のプリント枚数データとが順次読み出されると共に、読み出された写真識別情報に対応する画像データが画像記憶手段から読み出されて、読み出された画像データがその写真識別情報に対応するプリント枚数だけプリントされる。
【０００９】
従って、出力手段によって、受け付けられた写真毎のプリント枚数だけ利用者毎にプリントされるため、プリントされた写真を利用者毎に仕分ける作業が不要となり、写真の仕分け処理が効率的に行われる。
【００１０】
請求項２に記載の写真処理装置は、前記写真の画像データを圧縮及び解凍する圧縮解凍手段を備え、前記画像記憶手段は、前記圧縮解凍手段によって圧縮された画像データを格納し、前記出力手段は、前記画像記憶手段から圧縮された画像データを読み出して前記圧縮解凍手段を用いて解凍することを特徴としている。
【００１１】
上記の構成によれば、画像記憶手段に、圧縮解凍手段により圧縮された画像データが格納され、出力手段によって、画像記憶手段から圧縮された画像データが読み出されて圧縮解凍手段を用いて解凍される。従って、画像記憶手段には圧縮された画像データが格納されるため、画像データを格納するために必要な記憶容量が削減される。
【００１２】
請求項３に記載の写真処理装置は、前記注文受付手段は、外部からの入力を受け付けて前記写真毎のプリントサイズ及びプリントサイズ毎のプリント枚数を受け付け、前記注文情報記憶手段は、前記写真識別情報に対応する写真のプリントサイズデータ及びプリントサイズ毎のプリント枚数データを前記利用者識別情報に対応付けて格納し、前記出力手段は、前記注文情報記憶手段から前記写真識別情報に対応する写真のプリントサイズデータ及びプリント枚数データを順次読み出し、前記画像記憶手段から読み出された画像データをその写真識別情報に対応するプリントサイズにプリント枚数だけプリントすることを特徴としている。
【００１３】
上記の構成によれば、注文受付手段によって、外部からの入力がを受け付けられて写真毎のプリントサイズ及びプリントサイズ毎のプリント枚数が受け付けられ、注文情報記憶手段に、写真識別情報に対応する写真のプリントサイズデータ及びプリントサイズ毎のプリント枚数データが利用者識別情報に対応付けて格納される。そして、出力手段によって、注文情報記憶手段から写真識別情報に対応する写真のプリントサイズデータ及びプリント枚数データが順次読み出され、画像記憶手段から読み出された画像データがその写真識別情報に対応するプリントサイズにプリント枚数だけプリントされる。
【００１４】
従って、出力手段によって、受け付けられた写真毎及びプリントサイズ毎のプリント枚数だけ利用者毎にプリントされるため、複数のプリントサイズにプリントする場合にも、プリントされた写真を利用者毎に仕分ける作業が不要となり、写真の仕分け処理が効率的に行われる。
【００１５】
請求項４に記載の写真処理装置は、前記出力手段は、複数の出力位置を有し、前記利用者識別情報毎に、異なる出力位置にプリントされた写真を出力することを特徴としている。
【００１６】
上記の構成によれば、出力手段が複数の出力位置を有し、出力手段によって、利用者識別情報毎に異なる出力位置にプリントされた写真が出力される。従って、出力手段によって利用者識別情報毎に異なる出力位置にプリントされた写真が出力されるため、写真の仕分け処理が更に効率的に行われる。
【００１７】
請求項５に記載の写真処理方法は、複数の写真の画像データを格納し、前記写真毎のプリント枚数を管理し前記プリント枚数に写真をプリントする写真処理装置を用いた写真処理方法であって、前記写真処理装置に、前記写真の画像データを写真の識別情報である写真識別情報と対応付けて格納する画像記憶処理と、外部からの入力を受け付けて利用者毎の識別情報である利用者識別情報と前記写真毎のプリント枚数とを受け付ける注文受付処理と、前記注文受付処理において受け付けられた情報に応じて、前記写真識別情報及び前記写真識別情報に対応する写真のプリント枚数データを前記利用者識別情報に対応付けて格納する注文情報記憶処理と、前記利用者識別情報毎に対応する前記写真識別情報と前記写真識別情報に対応する写真のプリント枚数データとを順次読み出すと共に、読み出された写真識別情報に対応する画像データを読み出して、読み出された画像データをその写真識別情報に対応するプリント枚数だけプリントする出力処理とを実行させることを特徴としている。
【００１８】
上記の方法によれば、画像記憶処理において、写真の画像データが写真の識別情報である写真識別情報と対応付けて格納され、注文受付処理において、外部からの入力が受け付けられて利用者毎の識別情報である利用者識別情報と写真毎のプリント枚数とが受け付けられ、注文情報記憶処理において、注文受付処理において受け付けられた情報に応じて、写真識別情報及び写真識別情報に対応する写真のプリント枚数データが利用者識別情報に対応付けて格納される。そして、出力処理において、利用者識別情報毎に対応する写真識別情報と写真識別情報に対応する写真のプリント枚数データとが順次読み出されると共に、読み出された写真識別情報に対応する画像データが読み出されて、読み出された画像データがその写真識別情報に対応するプリント枚数だけプリントされる。
【００１９】
従って、出力処理において受け付けられた写真毎のプリント枚数だけ利用者毎にプリントされるため、プリントされた写真を利用者毎に仕分ける作業が不要となり、写真の仕分け処理が効率的に行われる。
【００２０】
請求項６に記載の写真処理プログラムは、複数の写真の画像データを格納し、前記写真毎のプリント枚数を管理し前記プリント枚数に写真をプリントする写真処理装置の写真処理プログラムであって、前記写真処理装置を、前記写真の画像データを写真の識別情報である写真識別情報と対応付けて格納する画像記憶手段と、外部からの入力を受け付けて利用者毎の識別情報である利用者識別情報と前記写真毎のプリント枚数とを受け付ける注文受付手段と、前記注文受付手段によって受け付けられた情報に応じて、前記写真識別情報及び前記写真識別情報に対応する写真のプリント枚数データを前記利用者識別情報に対応付けて格納する注文情報記憶手段と、前記注文情報記憶手段から前記利用者識別情報毎に対応する前記写真識別情報と前記写真識別情報に対応する写真のプリント枚数データとを順次読み出すと共に、読み出された写真識別情報に対応する画像データを前記画像記憶手段から読み出して、読み出された画像データをその写真識別情報に対応するプリント枚数だけプリントする出力手段として機能させることを特徴としている。
【００２１】
上記のプログラムによれば、画像記憶手段に、写真の画像データが写真の識別情報である写真識別情報と対応付けて格納されており、注文受付手段によって、外部からの入力が受け付けられて利用者毎の識別情報である利用者識別情報と写真毎のプリント枚数とが受け付けられ、注文情報記憶手段に、注文受付手段によって受け付けられた情報に応じて、写真識別情報及び前記写真識別情報に対応する写真のプリント枚数データが利用者識別情報に対応付けて格納される。そして、出力手段によって、注文情報記憶手段から利用者識別情報毎に対応する写真識別情報と写真識別情報に対応する写真のプリント枚数データとが順次読み出されると共に、読み出された写真識別情報に対応する画像データが画像記憶手段から読み出されて、読み出された画像データがその写真識別情報に対応するプリント枚数だけプリントされる。
【００２２】
従って、出力手段によって受け付けられた写真毎のプリント枚数だけ利用者毎にプリントされるため、プリントされた写真を利用者毎に仕分ける作業が不要となり、写真の仕分け処理が効率的に行われる。
【発明の効果】
【００２３】
請求項１、５、６に記載の発明によれば、受け付けられた写真毎のプリント枚数だけ利用者毎にプリントされるため、プリントされた写真を利用者毎に仕分ける作業が不要となり、写真の仕分け処理を効率的に行うことができる。
【００２４】
請求項２に記載の発明によれば、画像記憶手段には圧縮された画像データが格納されるため、画像データを格納するために必要な記憶容量を削減できる。
【００２５】
請求項３に記載の発明によれば、受け付けられた写真毎及びプリントサイズ毎のプリント枚数だけ利用者毎にプリントされるため、複数のプリントサイズにプリントする場合にも、プリントされた写真を利用者毎に仕分ける作業が不要となり、写真の仕分け処理を効率的に行うことができる。
【００２６】
請求項４に記載の発明によれば、利用者識別情報毎に異なる出力位置にプリントされた写真が出力されるため、写真の仕分け処理を更に効率的に行うことができる。
【発明を実施するための最良の形態】
【００２７】
以下、図１〜図１４を用いて本発明の一実施形態について説明する。図１は、本発明が適用される写真処理装置の概略構成図の一例である。写真処理装置は、写真のプリント処理を行う出力装置１（出力手段の一部に相当する）と、出力装置１と通信可能に接続され、オペレータからの入力を受け付けて出力装置１に対して種々の指示情報等を送信する端末装置２（出力手段の一部、注文受付手段に相当する）と、複数の端末装置２と通信可能に接続され写真の画像データを格納するサーバ装置３（画像記憶手段、注文情報記憶手段に相当する）とを備えている。ここで、図１を用いて出力装置１の構成について説明する。
【００２８】
出力装置１のハウジング１０の内部１０Ｂには、レーザ光を用いて感光材１１の露光処理を行うレーザ露光装置１４が、感光材１１を搬送するコンベア１５上の露光位置１５Ｘに対向するように設けられている。
【００２９】
コンベア１５は、複数組の従動ローラ１５Ａ及び駆動ローラ１５Ｂとガイドレール１５Ｃなどで構成されている。ハウジング１０の上面１０Ａには、ロール状に巻回された感光材１１をそれぞれ収納する複数、例えば２つのマガジン１２Ａ及び１２Ｂが装着されている。マガジン１２Ａ及び１２Ｂに収納されている感光材１１の種類を検出するために、２組のセンサ１２Ａ１及び１２Ｂ１が、それぞれマガジン１２Ａ及び１２Ｂに設けられている。
【００３０】
ハウジング１０、マガジン１２Ａ及び１２Ｂはそれぞれ暗箱であり、感光材１１の先端１１Ｂはそれぞれマガジン１２Ａ及び１２Ｂからハウジング１０の内部１０Ｂに引き出されている。感光材１１は、ハウジング１０の内部１０Ｂに設けられたカッタ１３により所定の大きさに切断される。以下、所定の大きさに切断された感光材１１を感光材片１１Ａという。感光材片１１Ａは、ハウジング１０の内部１０Ｂにおいて、コンベア１５により露光位置１５Ｘから感光材片１１Ａの現像処理を行う現像ユニット１６に搬送される。
【００３１】
現像ユニット１６は、それぞれ現像液、定着液、漂白液及び安定化液を収容する複数のタンク１６Ａ〜１６Ｄを有している。レーザ露光装置１４により露光された感光材片１１Ａが現像ユニット１６中を搬送されると、潜像が現像され、感光材片１１Ａの感光面上に画像が形成される。現像された感光材片１１Ａは、乾燥ユニット１３により乾燥され、ハウジング１０の内部１０Ｂから排出される。現像された感光材片１１Ａは、ハウジング１０の上面１０Ａに設けられたソータ１７上に積み重ねられる。
【００３２】
ソータ１７は複数（ここでは５枚）のビン１７ａ〜１７ｅを備え、所定の条件に従って（ここでは、後述する利用者識別情報が異なる場合には異なるビンに）、現像された感光材片１１Ａを積み上げるビン１７ａ〜１７ｅを選択して出力される。
【００３３】
出力装置１は、ハウジング１０に設けられた出力装置１全体の動作を制御する制御ユニット１８を備えており、制御ユニット１８はパーソナルコンピュータ等からなる本発明が適用される端末装置２と通信可能に接続されている。
【００３４】
端末装置２は、例えば、パーソナルコンピュータ等からなり、オペレータからの入力を受け付けて、サーバ装置３から写真の画像データを読み出して、出力装置１に対して掲示用見本、写真プリント及び後述する注文受付票の出力を指示するものである。また、端末装置２は、図３を用いて後述するようにフィルムスキャナ２４及びスマートメディア等に格納された画像データを読み出すリーダ２５を備え、写真の画像データを生成し（又は読み出し）て、サーバ装置３に伝送するものである。
【００３５】
サーバ装置３は、写真の画像データを格納すると共に、端末装置２からの指示に従って及び写真の画像データを読み出して端末装置２へ送信するものである。なお、ここでは、出力装置１と端末装置２とは、ＬＡＮ等のネットワークを介して接続されており、端末装置２とサーバ装置３とは、インターネット等の通信回線を介して接続されているものとする。
【００３６】
図２は、図１に示す写真処理装置を用いた写真プリントの受注及び配送処理の手順の概要を示す説明図の一例である。まず、端末装置２によってオペレータの操作入力が受け付けられて、フィルムスキャナ等を用いて写真の画像データが生成され（又は読み出され）、サーバ装置３に送信されて、サーバ装置３に格納される。一方、端末装置２には予め掲示用見本のレイアウト情報が格納されており、そのレイアウト情報によって規定される枚数（例えば１６枚）の画像データがサーバ装置３から読み出されて、そのレイアウト情報によって規定される注文サイズ（例えば、いわゆるＣ（クラシック）サイズである８９ｍｍ×１２７ｍｍのサイズ）の写真が１６枚（例えば、縦方向４枚×横方向４枚）だけ配列されて掲示用見本として出力装置１によって出力され（図１３参照）、利用者によって壁等に掲示される。なお、サーバ装置３に格納された写真の画像データが、例えば４８枚分ある場合には、掲示用見本が３枚（＝４８÷１６）出力される。
【００３７】
また、端末装置２には予め利用者が注文を申し込む際に写真毎の注文枚数を記入する注文受付票のレイアウト情報が格納されており、そのレイアウト情報によって規定される枚数（例えば５０枚）分の画像データがサーバ装置３から読み出されて（ただし、サーバ装置３に格納された写真の画像データが、例えば４８枚分ある場合には、４８枚分の画像データが読み出されて）、そのレイアウト情報によって規定される所定のサイズ（例えば、いわゆるＬサイズである８９ｍｍ×１２７ｍｍの１／５のサイズ）の写真が５０枚（例えば、縦方向５枚×横方向１０枚）だけ配列されて注文受付票として出力装置１によって出力され、各利用者に配布される。なお、注文受付票には各写真の下側に利用者が注文枚数を記入する注文枚数記入欄がプリントされている（図１４参照）。
【００３８】
そして、利用者によって、壁等に掲示された掲示用見本が参照されて、プリントを所望する写真が決定され、注文受付票の対応する写真の注文枚数記入欄に注文サイズ及び注文枚数が記入される。注文サイズ及び注文枚数の記入された注文受付票が各利用者から回収されて、写真館またはＤＰ店等のオペレータによって端末装置２に入力され、サーバ装置３に伝送され注文情報として格納される。
【００３９】
つぎに、端末装置２によって利用者毎に注文された写真の画像データと、注文サイズ及び注文枚数がサーバ装置３から順次読み出され、読み出された画像データが対応する注文サイズに注文枚数だけプリントされ、各利用者に配布される。
【００４０】
図３は、端末装置２のハード構成図の一例である。端末装置２は、端末装置２の全体の動作を制御する制御部２１と、外部からの操作を受け付ける操作部２２と、外部に画像を出力するモニタ２３と、フィルムからフィルム１コマ毎の写真の画像を読み取り、画像データを生成するフィルムスキャナ２４と、メモリカード、メモリスティック等のスマートメディア、またはＣＤ、ＤＶＤ等の記録媒体から画像データを読み出すメモリリーダ２５と、種々の情報を格納するＨＤＤ２６と、出力装置１の制御ユニット１８及びサーバ装置３と通信を行う通信制御部２７とがデータ伝送路であるバスＢＡ２を介して接続されている。
【００４１】
制御部２１は、端末装置２の全体の動作を制御するもので、情報処理部（ＣＰＵ）２１１と、処理途中の情報等を一時的に格納するＲＡＭ２１２と、ＯＳ（ｏｐｅｒａｔｉｎｇ  ｓｙｓｔｅｍ）、所定の画像情報等が予め記憶されたＲＯＭ２１３とを備えている。ＲＡＭ２１２またはＲＯＭ２１３に記憶された各種データのうち装着脱可能な記録媒体に記憶され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００４２】
インターフェイス部２２１は、操作部２２との間のデータの授受を行うためのものである。描画処理部２３１は、制御部２１からの画像表示指示に従って所要の画像をモニタ２３に表示させるもので、ビデオＲＡＭ等を備えている。インターフェイス部２４１、２５１、２６１は、それぞれ、フィルムスキャナ２４、メモリリーダ２５及びＨＤＤ２６との間のデータの授受を行うためのものである。
【００４３】
なお、本発明の写真処理プログラムの一部（出力手段の一部及び注文受付手段に相当する部分）は、例えばＲＯＭ２１３に格納されており、ＣＰＵ２１１によって実行されることにより、端末装置２を各機能部（後述する注文受付部２１１ｂ等）として機能させるものである。
【００４４】
図４は、サーバ装置３のハード構成図の一例である。サーバ装置３は、サーバ装置３の全体の動作を制御する制御部３１と、外部からの操作を受け付ける操作部３２と、外部に画像を出力するモニタ３３と、種々の情報を格納するＨＤＤ３４と、出力装置１の制御ユニット１８及び端末装置２と通信を行う通信制御部３５とがデータ伝送路であるバスＢＡ３を介して接続されている。
【００４５】
制御部３１は、サーバ装置３の全体の動作を制御するもので、情報処理部（ＣＰＵ）３１１と、処理途中の情報等を一時的に格納するＲＡＭ３１２と、ＯＳ（ｏｐｅｒａｔｉｎｇ  ｓｙｓｔｅｍ）、所定の画像情報等が予め記憶されたＲＯＭ３１３とを備えている。ＲＡＭ３１２またはＲＯＭ３１３に記憶された各種データのうち装着脱可能な記録媒体に記憶され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００４６】
インターフェイス部３２１は、操作部３２との間のデータの授受を行うためのものである。描画処理部３３１は、制御部３１からの画像表示指示に従って所要の画像をモニタ３３に表示させるもので、ビデオＲＡＭ等を備えている。インターフェイス部３４１は、ＨＤＤ３４との間のデータの授受を行うためのものである。
【００４７】
なお、本発明の写真処理プログラムの一部（画像記憶手段、注文情報記憶手段、圧縮解凍手段に相当する部分）は、例えばＲＯＭ３１３に格納されており、ＣＰＵ３１１によって実行されることにより、サーバ装置３を各機能部（後述する圧縮解凍部３１１ａ等）として機能させるものである。
【００４８】
図５は、本発明が適用される写真処理装置の主要部の機能構成図の一例である。端末装置２のＣＰＵ２１１は、画像データを生成する（又は読み出す）画像受付部２１１ａと、注文情報を受け付ける注文受付部２１１ｂ（注文受付手段に相当する）と、出力装置１に対して注文された写真の出力指示情報を送信する出力制御部２１１ｃ（出力手段の一部に相当する）と、画像データ毎に横長にプリントする画像データであるか縦長にプリントする画像データであるかを判別する縦横判別部２１１ｄと、掲示用見本及び注文受付票のレイアウトを選択するレイアウト選択部２１１ｅと、出力装置１に対して掲示用見本及び注文受付票の出力指示情報を送信する見本出力制御部２１１ｆとを備えている。
【００４９】
サーバ装置３のＣＰＵ３１１は、画像データの圧縮及び解凍処理を行う圧縮解凍部３１１ａ（圧縮解凍手段に相当する）を備え、サーバ装置３のＨＤＤ３２は、画像データを格納する画像記憶部３２ａ（画像記憶手段に相当する）と、注文情報を格納する注文情報記憶部３２ｂ（注文情報記憶手段に相当する）と、掲示用見本及び注文受付票のレイアウト情報を格納するレイアウト記憶部３２ｃとを備えている。
【００５０】
画像受付部２１１ａは、操作部２２を介してオペレータからの入力を受け付けて、フィルムスキャナ２４に対して、フィルムからフィルム１コマ毎の写真の画像を読み取り、画像データを生成するべく指示情報を出力し、フィルムスキャナ２４から画像データを受け付けて、写真の識別情報である写真識別情報を画像データ毎に付与してサーバ装置３の圧縮解凍部３１１ａに伝送するものである。
【００５１】
更に、画像受付部２１１ａは、利用者の属する団体名及び行事名等の識別情報である行事識別情報を一群の画像データに付与してサーバ装置３の圧縮解凍部３１１ａに伝送するものである。
【００５２】
また、画像受付部２１１ａは、操作部２２を介してオペレータからの入力を受け付けて、メモリリーダ２５に対して予め画像データが格納されたメモリカード、メモリスティック等のスマートメディア、またはＣＤ、ＤＶＤ等の記録媒体から画像データを読み出すべく指示情報を出力し、メモリリーダ２５から画像データを受け付けて、写真の識別情報である写真識別情報を付与してサーバ装置３の圧縮解凍部３１１ａに伝送するものでもある。
【００５３】
つまり、フィルムを使用するカメラで撮影された写真の画像データは、フィルムスキャナ２４を用いて画像データが生成され、ディジタルカメラで撮影された写真の画像データは、ディジタルカメラに備えるメモリカード、メモリスティック等のスマートメディアから画像データが読み出される。また、例えば、予めＨＤＤ２６に格納された画像データが、ＣＤ、ＤＶＤ等の記録媒体に書込まれている場合には、画像受付部２１１ａが、操作部２２を介してオペレータからの入力を受け付けて、ＣＤ、ＤＶＤ等の記録媒体から画像データを読み出すべく、図略のＣＤプレイヤ等に対して指示情報を出力する形態でもよい。
【００５４】
注文受付部２１１ｂは、操作部２２を介してオペレータからの入力を受け付けて、利用者毎の識別情報である利用者識別情報と写真毎のプリントサイズ及びプリント枚数とを受け付け、受け付けた注文情報をサーバ装置３の圧縮解凍部３１１ａに伝送するものである。
【００５５】
出力制御部２１１ｃは、利用者毎に（利用者の識別情報である利用者識別情報毎に）、注文情報記憶部３２ｂから写真の（写真の識別情報である写真識別情報に対応する）プリントサイズデータ及びプリント枚数データを順次読み出し、画像記憶部３２ａから読み出された画像データをその写真に（写真識別情報に）対応するプリントサイズにプリント枚数だけプリントする旨の出力指示情報を出力装置１に対して送信するものである。
【００５６】
縦横判別部２１１ｄは、、操作部２２を介してオペレータからの入力を受け付けて、画像記憶部３２ａから画像データを読み出してモニタ２３に表示し、画像データ毎に横長にプリントする画像データである横長プリント画像データか縦長にプリントする画像データである縦長プリント画像データかを、操作部２２を介するオペレータからの入力に従って判別するものである。
【００５７】
レイアウト選択部２１１ｅはレイアウト記憶部３２ｃに格納された、掲示用見本及び注文受付票のそれぞれ複数のレイアウトから１のレイアウトを選択するものである。掲示用見本のレイアウトについては、レイアウト選択部２１１ｅは、縦長プリント用レイアウトと横長プリント用レイアウトとを画像データが縦長プリント画像データであるか横長プリント画像データであるかに応じて選択するものである。
【００５８】
見本出力制御部２１１ｆは、レイアウト選択部２１１ｅによって選択されたレイアウトのレイアウト情報をレイアウト記憶部３２ｃから読み出して、そのレイアウトに含まれる所定数（掲示用見本の場合には、例えば、１６個であり、注文受付票の場合には、例えば、５０個）の画像データを画像記憶部３２ａから読み出して、読み出された画像データをレイアウトのテンプレートに嵌めこみ、掲示用見本及び注文受付票として出力する旨の指示情報を出力装置１に伝送するものである。
【００５９】
更に、見本出力制御部２１１ｆは、画像記憶部３２ａに格納されている写真識別情報（例えば、一連番号）を画像データに対応付けて出力する旨の指示情報を出力装置１に伝送するものである。また、見本出力制御部２１１ｆは、画像記憶部３２ａに格納されている行事識別情報を読み出してタイトルとして出力する旨の指示情報を出力装置１に伝送するものである。
【００６０】
圧縮解凍部３１１ａは、画像受付部２１１ａによって画像データが画像記憶部３２ａに格納される際に、画像データに圧縮処理を施し、出力制御部２１１ｃ、縦横判別部２１１ｄ及び見本出力制御部２１１ｆによって圧縮された画像データが画像記憶部３２ａから読み出される際に、画像データに解凍処理を施すものである。圧縮解凍部３１１ａは、例えば、ビットマップ（ｂｉｔｍａｐ）形式で読み込まれた画像データをＪＰＥＧ（Ｊｏｉｎｔ  Ｐｈｏｔｏｇｒａｐｈｉｃ  Ｅｘｐｅｒｔｓ  Ｇｒｏｕｐ）形式、ＧＩＦ（Ｇｒａｐｈｉｃｓ  Ｉｎｔｅｒｃｈａｎｇｅ  Ｆｏｒｍａｔ）形式などの圧縮された画像データに可逆的に変換するものである。
【００６１】
画像記憶部３２ａは、画像受付部２１１ａによって生成された（又は読み込まれた）画像データを写真識別情報と対応付けて格納するものである。また、画像記憶部３２ａは、一群の画像データに付与された行事識別情報を、例えばファイル名として格納するものである。
【００６２】
注文情報記憶部３２ｂは、注文受付部２１１ｂによって受け付けられた注文情報を格納するものである。より、具体的には、利用者識別情報毎の写真のプリントサイズ情報及びプリント枚数情報を格納するものである。なお、注文情報記憶部３２ｂは、画像受付部２１１ａによって一群の画像データに付与された行事識別情報を、例えば注文情報を格納するファイルのファイル名として格納するものである。つまり、行事識別情報によって、画像記憶部３２ａに格納された一群の画像データと、注文情報記憶部３２ｂに格納された注文情報とが対応付けられる。
【００６３】
レイアウト記憶部３２ｃは、掲示用見本及び注文受付票のレイアウト情報をそれぞれ複数分（例えば、２種類）だけ格納するものである。掲示用見本のレイアウト情報は、縦長プリント用レイアウト情報及び横長プリント用レイアウト情報を含み、それぞれ所定数（例えば、１６個）の画像データ及び写真識別情報と行事識別情報とが嵌めこまれるテンプレート情報を有している。注文受付票のレイアウト情報は、所定数（例えば、５０個）の画像データ及び写真識別情報と行事識別情報とが嵌めこまれると共に、注文サイズ及び注文枚数を記入する注文記入欄が画像情報として含まれるテンプレート情報を有している。
【００６４】
図６は、注文受付部２１１ｂによって行われる注文受付処理のフローチャートの一例である。まず、操作部２２を介してオペレータからの入力が受け付けられて、例えば行事名が行事識別情報として受け付けられる（ステップＳ１０１）。そして、行事識別情報に対応する画像データの個数（画像数ＰＮという）が画像記憶部３２ａから読み込まれる（ステップＳ１０３）。次いで、操作部２２を介してオペレータからの入力が受け付けられて、利用者（プリント注文の申込者）の人数ＨＮが受け付けられる（ステップＳ１０５）。つぎに、申込者の人数ＨＮをカウントするカウンタｉに初期値として１が設定される（ステップＳ１０７）。
【００６５】
そして、操作部２２を介してオペレータからの入力が受け付けられて、第ｉ番目の申込者の氏名が受け付けられる（ステップＳ１０９）。次いで、写真識別情報である一連番号をカウントするカウンタｊに初期値として１が設定される（ステップＳ１１１）。そして、操作部２２を介してオペレータからの入力が受け付けられて、第ｊ番目の写真識別情報に対応する画像データのプリントサイズ及びプリント枚数が受け付けられる（ステップＳ１１３）。つぎに、カウンタｊの値が、画像数ＰＮ以上であるか否かの判定が行われる（ステップＳ１１５）。画像数ＰＮ以上ではない（画像数ＰＮ未満である）と判定された場合（ステップＳ１１５でＮＯ）には、カウンタｊの値が１だけインクリメントされて処理がステップＳ１１３に戻り、ステップＳ１１３の処理が繰り返し実行される。
【００６６】
画像数ＰＮ以上であると判定された場合（ステップＳ１１５でＹＥＳ）には、操作部２２を介してオペレータからの入力が受け付けられて、第ｉ番目の申込者の注文情報を確定するか否かの判定が行われる（ステップＳ１１９）。確定しないと判定された場合（ステップＳ１１９でＮＯ）には、操作部２２を介してオペレータからの入力が受け付けられて、第ｉ番目の申込者の注文情報の修正入力が受け付けられ（ステップＳ１２１）、処理がステップＳ１１９に戻る。確定すると判定された場合（ステップＳ１１９でＹＥＳ）には、カウンタｉの値が申込者の人数ＨＮ以上であるか否かの判定が行われる（ステップＳ１２３）。
【００６７】
申込者の人数ＨＮ以上ではない（申込者の人数ＨＮ未満である）と判定された場合（ステップＳ１２３でＮＯ）には、カウンタｉの値が１だけインクリメントされ（ステップＳ１２５）、処理がステップＳ１０９に戻り、ステップＳ１０９〜ステップＳ１１９の処理が繰り返し実行される。申込者の人数ＨＮ以上であると判定された場合（ステップＳ１２３でＹＥＳ）には、操作部２２を介してオペレータからの入力が受け付けられて、申込者全員の注文情報を確定するか否かの判定が行われる（ステップＳ１２７）。確定しないと判定された場合（ステップＳ１２７でＮＯ）には、操作部２２を介してオペレータからの入力が受け付けられて、各申込者の注文情報の修正入力が受け付けられ（ステップＳ１２９）、処理がステップＳ１２７に戻る。確定すると判定された場合（ステップＳ１２７でＹＥＳ）には、受け付けられた注文情報が注文情報記憶部３２ｂに伝送されて格納され（ステップＳ１３１）、処理が終了される。
【００６８】
図７及び図８は、注文受付部２１１ｂによって行われる注文受付処理においてモニタ２３に表示される種々の画面の画面図の一例である。図７の（ａ）は、図６に示すフローチャートのステップＳ１０１及びステップＳ１０５で表示される行事名受付画面の画面図であり、（ｂ）は、図６に示すフローチャートのステップＳ１１３で表示されるプリント条件受付画面の画面図であり、（ｃ）は、図６に示すフローチャートのステップＳ１１９で表示される個人注文情報確認画面の画面図である。図８は、それぞれ、図６に示すフローチャートのステップＳ１２１で表示される注文情報一覧画面の画面図である。
【００６９】
図７の（ａ）に示すように、行事名受付画面５００には、画面左側に団体名及び行事名が入力される行事名入力部５０１と、行事名入力部５０１の下側に申込者の人数ＨＮが入力される人数入力部５０２と、画面右側に行事名入力部５０１及び人数入力部５０２の入力が完了した場合に押下される（例えば、操作部２２のマウスでクリックされる）決定ボタン５０３と、決定ボタン５０３の下側に行事名入力部５０１及び人数入力部５０２の入力情報をクリアして再度入力可能とする場合に押下されるキャンセルボタン５０４とが表示されている。オペレータは、行事名受付画面５００の行事名入力部５０１及び人数入力部５０２に団体名及び行事名と申込者の人数ＨＮとをそれぞれ入力することができる。
【００７０】
図７の（ｂ）に示すように、プリント条件受付画面５１０には、画面左側に写真識別情報である一連番号の入力を受け付ける写真番号入力部５１１と、写真番号入力部５１１の右側にプリントサイズの入力を受け付けるプリントサイズ入力部５１２と、プリントサイズ入力部５１２の右側にプリント枚数の入力を受け付けるプリント枚数入力部５１３と、プリント枚数入力部５１３の右側に写真番号入力部５１１、プリントサイズ入力部５１２及びプリント枚数入力部５１３の入力が完了した場合に押下される決定ボタン５１４と、決定ボタン５１４の下側に写真番号入力部５１１、プリントサイズ入力部５１２及びプリント枚数入力部５１３の入力情報をクリアして再度入力可能とする場合に押下されるキャンセルボタン５１５とが表示されている。
【００７１】
プリントサイズ入力部５１２には、ここでは、いわゆるＣ（クラシック）サイズである８９ｍｍ×１２７ｍｍ、いわゆるＨ（ハイビジョン）サイズである８９ｍｍ×１５８ｍｍ、いわゆるＰ（パノラマ）サイズである８９ｍｍ×２５４ｍｍのいずれかのサイズが選択可能に表示される。オペレータは、プリント条件受付画面５１０の写真番号入力部５１１、プリントサイズ入力部５１２及びプリント枚数入力部５１３に写真の一連番号、プリントサイズ及びプリント枚数をそれぞれ入力することができる。
【００７２】
図７の（ｃ）に示すように、個人注文情報確認画面５２０には、画面左側に写真の一連番号、プリントサイズ及びプリント枚数が表示される注文情報表示部５２１と、注文情報表示部５２１の下側に注文情報を追加する場合に押下される追加ボタン５２３と、追加ボタン５２３の右側に注文情報の一部（後述する選択表示マーク５２１ｅが表示された写真の一連番号に対応する注文情報）を削除する場合に押下される削除ボタン５２４と、注文情報表示部５２１の右側に注文情報表示部５２１に表示された注文情報に含まれるプリント枚数の合計が表示される合計枚数表示部５２２と、合計枚数表示部５２２の下側に注文情報表示部５２１に表示された注文情報を確定する場合に押下される確定ボタン５２５とが表示されている。
【００７３】
注文情報表示部５２１には、写真の一連番号、プリント枚数及びプリントサイズがそれぞれ対応付けて表示される写真番号表示部５２１ａ、プリント枚数表示部５２１ｂ及びプリントサイズ表示部５２１ｃと、プリントサイズ表示部５２１ｃの右側に、注文情報表示部５２１に表示する写真番号表示部５２１ａ、プリント枚数表示部５２１ｂ及びプリントサイズ表示部５２１ｃを上下方向にスクロールする場合に押下されるスクロールバー５２１ｄと、注文情報の一部を削除する場合に選択されている（注文情報を削除する対象となる）写真の一連番号を表示する選択表示マーク５２１ｅとが表示されている。
【００７４】
個人注文情報確認画面５２０を用いて注文情報の編集を以下のように行うことができる。注文情報の一部を削除する場合には、削除する対象となる写真の写真番号の位置にポインタを移動してマウスをクリックすることにより選択表示マーク５２１ｅを当該写真番号の位置に表示させ、削除ボタン５２４を押下する。注文情報を追加する場合には、追加ボタン５２３を押下すると、図７の（ｂ）に示すプリント条件受付画面５１０が表示され、写真番号、プリントサイズ及びプリント枚数を入力して決定ボタン５１４を押下する。決定ボタン５１４を押下すると、入力された注文情報を含む個人注文情報確認画面５２０が表示される。
【００７５】
このようにして注文情報の編集を行い、確定ボタン５２５を押下すると注文情報が確定される（ただし、図８に示す画面を用いて再度注文情報を編集することも可能である）。つまり、オペレータは、個人注文情報確認画面５２０を用いて、申込者毎の注文情報を確認して編集し、確定することができる。
【００７６】
図８に示すように、注文情報一覧画面５５０には、画面左側に利用者識別情報（ここでは、申込者毎の一連番号である申込者番号）が表示される申込者番号表示部５５１と、画面略中央に写真の一連番号、プリントサイズ及びプリント枚数が表示される注文情報表示部５５２と、注文情報表示部５５２の右側に注文情報表示部５５２に表示された注文情報に含まれるプリント枚数の合計が表示される合計枚数表示部５５３と、申込者番号表示部５５１の下側に申込者番号表示部５５１で選択されている（後述する選択表示マーク５５１ａが表示されている申込者番号に対応する）申込者の注文情報を編集する場合に押下される編集ボタン５５４と、画面右下に注文情報を確定する場合に押下される確定ボタン５５５とが表示されている。
【００７７】
申込者番号表示部５５１には、申込者番号が表示される番号表示部５５１ａと、番号表示部５５１ａを上下方向にスクロールする場合に押下されるスクロールバー５５１ｂと、注文情報表示部５５２に注文情報を表示するべく選択されている申込者番号を表示する選択表示マーク５５１ｃとが表示されている。
【００７８】
注文情報表示部５５２には、写真の一連番号、プリント枚数及びプリントサイズがそれぞれ対応付けて表示される写真番号表示部５５２ａ、プリント枚数表示部５５２ｂ及びプリントサイズ表示部５５２ｃと、プリントサイズ表示部５５２ｃの右側に、注文情報表示部５５２に表示する写真番号表示部５５２ａ、プリント枚数表示部５５２ｂ及びプリントサイズ表示部５５２ｃを上下方向にスクロールする場合に押下されるスクロールバー５５２ｄとが表示されている。
【００７９】
オペレータは、選択表示マーク５５１ｃを移動することによって、注文情報表示部５５２に表示される各申込者の注文情報を確認することができる。申込者の注文情報を編集する場合には、編集する申込者の申込者番号上に選択表示マーク５５１ｃを移動させ、編集ボタン５５４を押下することによって、図７の（ｃ）に示す個人注文情報確認画面５２０が表示され、注文情報を編集することができる。つまり、オペレータは、注文情報一覧画面５５０を用いて、申込者毎の注文情報を確認し編集することが可能となる。
【００８０】
図９は、出力制御部２１１ｃによって行われる出力指示処理のフローチャートの一例である。まず、操作部２２を介してオペレータからの入力が受け付けられて、例えば行事名が行事識別情報として受け付けられる（ステップＳ２０１）。そして、注文情報記憶部３２ｂから、ステップＳ２０１で受け付けられた行事識別情報に対応する注文情報が読み込まれる（ただし、注文情報には、申込者の人数ＨＮが含まれているものとする）（ステップＳ２０３）。
【００８１】
つぎに、ステップＳ２０１で受け付けられた行事識別情報に対応する画像データが画像記憶部３２ａから読み込まれ、ＨＤＤ２６に格納される（ステップＳ２０５）。次いで、申込者の人数ＨＮをカウントするカウンタｉに初期値として１が設定される（ステップＳ２０７）。そして、第ｉ番目の申込者の注文情報（写真識別情報、プリントサイズ及びプリント枚数）に従って出力装置１に対してプリント出力を行う旨の指示情報が送信される（ステップＳ２０９）。
【００８２】
つぎに、出力装置１との通信が行われ、第ｉ番目の申込者のプリント出力が完了したか否かの判定が行われる（ステップＳ２１１）。プリント出力が完了していないと判定された場合（ステップＳ２１１でＮＯ）には、処理が待機状態とされる。プリント出力が完了したと判定された場合（ステップＳ２１１でＹＥＳ）には、カウンタｉの値が申込者の人数ＨＮ以上であるか否かの判定が行われる（ステップＳ２１３）。
【００８３】
申込者の人数ＨＮ以上ではない（申込者の人数ＨＮ未満である）と判定された場合（ステップＳ２１３でＮＯ）には、カウンタｉの値が１だけインクリメントされ（ステップＳ２１５）、ソータ１７に対して現像された感光材片１１Ａを積み上げるビン１７ａ〜１７ｅを変更する旨の指示情報が出力され（ステップＳ２１７）、ステップＳ２０９に戻り、ステップＳ２０９〜ステップＳ２１３の処理が繰り返し実行される。申込者の人数ＨＮ以上であると判定された場合（ステップＳ２１３でＹＥＳ）には、処理が終了される。
【００８４】
上述のように、出力装置１によって、受け付けられた写真毎のプリント枚数だけ利用者毎にプリントされるため、プリントされた写真を利用者毎に仕分ける作業が不要となり、写真の仕分け処理が効率的に行われる。また、画像記憶部３２ａには圧縮された画像データが格納されるため、画像データを格納するために必要な記憶容量が削減される。
【００８５】
更に、出力装置１によって、受け付けられた写真毎及びプリントサイズ毎のプリント枚数だけ利用者毎にプリントされるため、複数のプリントサイズにプリントする場合にも、プリントされた写真を利用者毎に仕分ける作業が不要となり、写真の仕分け処理が効率的に行われる。加えて、出力装置１によって利用者識別情報毎に異なる出力位置（ここでは、異なるビン１７ａ〜１７ｅ）にプリントされた写真が出力されるため、写真の仕分け処理が更に効率的に行われる。
【００８６】
図１０は、レイアウト記憶部３２ｃに格納されている掲示用見本の縦長プリント用レイアウト情報及び横長プリント用レイアウト情報の一例を示す説明図である。（ａ）は、横長プリント用レイアウトであり、（ｂ）は縦長プリント用レイアウトである。（ａ）に示すように、横長プリント用レイアウトＬＹＨは、縦方向に４枚、横方向に４枚の合計１６枚のＣサイズの写真の画像データが嵌めこまれる写真嵌め込み部ＰＨ１〜ＰＨ１６と、上端部左側に行事名が所定の文字情報として嵌めこまれるタイトル部ＴＬＨと、上端部右側に行事識別情報が所定の文字情報として嵌めこまれる識別部ＡＮＨとが設けられたテンプレートとして構成されている。写真嵌め込み部ＰＨ１〜ＰＨ１６にはそれぞれの画像データに対応する写真識別情報が所定の文字情報として嵌めこまれる写真識別部ＰＨ１Ｎ〜ＰＨ１６Ｎが設けられている。
【００８７】
（ｂ）に示すように、縦長プリント用レイアウトＬＹＶには、縦方向に３枚、横方向に５枚の合計１５枚のＣサイズの写真の画像データが嵌めこまれる写真嵌め込み部ＰＶ１〜ＰＶ１５と、上端部左側に行事名が所定の文字情報として嵌めこまれるタイトル部ＴＬＶと、上端部右側に行事識別情報が所定の文字情報として嵌めこまれる識別部ＡＮＶとが設けられたテンプレートとして構成されている。写真嵌め込み部ＰＶ１〜ＰＶ１５にはそれぞれの画像データに対応する写真識別情報が所定の文字情報として嵌めこまれる写真識別部ＰＶ１Ｎ〜ＰＶ１５Ｎが設けられている。
【００８８】
図１１は、見本出力制御部２１１ｆ等によって行われる掲示用見本の出力指示処理のフローチャートの一例である。なお、以下の処理は、明記しない限り見本出力制御部２１１ｆによって行われる。まず、操作部２２を介してオペレータからの入力が受け付けられて、例えば行事名が行事識別情報として受け付けられる（ステップＳ３０１）。つぎに、ステップＳ２０１で受け付けられた行事識別情報に対応する画像データ（ただし、画像データの個数ＰＮが含まれているものとする）が画像記憶部３２ａから読み込まれ、ＨＤＤ２６に格納される（ステップＳ３０３）。
【００８９】
そして、写真識別情報である一連番号をカウントするカウンタｊに初期値として１が設定され、縦長プリント画像データ及び横長プリント画像データの個数をカウントするカウンタＶＣ、ＨＣに初期値として０が設定される（ステップＳ３０５）。次いで、縦横判別部２１１ｄによって第ｊ番目の画像データがＨＤＤ２６から読み込まれ、モニタ２３に表示されて、操作部２２を介してオペレータからの入力が受け付けられて、画像データが横長プリント画像データであるか縦長プリント画像データかの判別が行われる（ステップＳ３０７）。
【００９０】
そして、第ｊ番目の画像データが縦長プリント画像データであるか否かの判定が行われる（ステップＳ３０９）。縦長プリント画像データであると判定された場合（ステップＳ３０９でＹＥＳ）には、カウンタＶＣの値が１だけカウントアップされ（ステップＳ３１１）、縦長プリント画像データではない（横長プリント画像データである）と判定された場合（ステップＳ３０９でＮＯ）には、カウンタＨＣの値が１だけカウントアップされ（ステップＳ３１３）、カウンタｊの値が画像データの個数ＰＮ以上であるか否かの判定が行われる（ステップＳ３１５）。
【００９１】
画像データの個数ＰＮ以上ではない（画像データの個数ＰＮ未満である）と判定された場合（ステップＳ３１５でＮＯ）には、カウンタｊの値が１だけインクリメントされ（ステップＳ３１７）、ステップＳ３０７に戻り、ステップＳ３０７からステップＳ３１５の処理が繰り返し実行される。画像データの個数ＰＮ以上であると判定された場合（ステップＳ３１５でＹＥＳ）には、レイアウト選択部２１１ｅによって、レイアウト記憶部３２ｃからレイアウト情報が読み出されて、操作部２２を介してオペレータからの入力が受け付けられて、縦長プリント用レイアウト及び横長プリント用レイアウトがそれぞれ選択される（ステップＳ３１９）。ここで、選択された縦長プリント用レイアウト及び横長プリント用レイアウトに嵌め込まれる画像データの個数をそれぞれ縦長画像数ＶＮ０、横長画像数ＨＮ０という。そして、出力装置１に対して掲示用見本の出力指示情報が送信され（ステップＳ３２１）、処理が終了される。
【００９２】
図１２は、図１１に示すフローチャートのステップＳ３２１において行われる出力指示処理の詳細フローチャートの一例である。まず、図１１のステップＳ３１９で選択された縦長プリント用レイアウト及び横長プリント用レイアウトのレイアウト情報がレイアウト記憶部３２ｃから読み込まれる（ステップＳ４０１）。図１１で説明したように、選択された縦長プリント用レイアウト及び横長プリント用レイアウトに嵌め込まれる画像データの個数はそれぞれ縦長画像数ＶＮ０（例えば、１５個）、横長画像数ＨＮ０（例えば、１６個）である。
【００９３】
つぎに、画像データの個数をカウントするカウンタｈ及びプリント用レイアウトに嵌め込まれた画像データの個数をカウントするカウンタｋの値に初期値として１が設定される（ステップＳ４０３）。そして、第ｈ番目の横長画像データがＨＤＤ２６から読み込まれ（ステップＳ４０５）、読み込まれた横長画像データが横長プリント用テンプレートに嵌め込まれる（合成される）（ステップＳ４０７）。次いで、カウンタｋの値が横長画像数ＨＮ０以上であるか否かの判定が行われる（ステップＳ４０９）。
【００９４】
横長画像数ＨＮ０以上ではない（横長画像数ＨＮ０未満である）と判定された場合（ステップＳ４０９でＮＯ）には、カウンタｈの値が横長プリント画像データの個数ＨＣ以上であるか否かの判定が行われる（ステップＳ４１１）。横長プリント画像データの個数ＨＣ以上ではない（横長プリント画像データの個数ＨＣ未満である）と判定された場合（ステップＳ４１１でＮＯ）には、カウンタｈ及びカウンタｋの値が１だけインクリメントされ（ステップＳ４１３）、ステップＳ４０５に戻りステップＳ４０５からステップＳ４０９の処理が繰り返し実行される。ステップＳ４０９において横長画像数ＨＮ０以上であると判定された場合（ステップＳ４０９でＹＥＳ）、または、ステップＳ４１１において横長プリント画像データの個数ＨＣ以上であると判定された場合（ステップＳ４１１でＹＥＳ）には、横長掲示用見本をプリントする旨の指示情報が出力装置１に対して送信される（ステップＳ４１５）。
【００９５】
つぎに、カウンタｈの値が横長プリント画像データの個数ＨＣ以上であるか否かの判定が行われる（ステップＳ４１７）。横長プリント画像データの個数ＨＣ以上ではない（横長プリント画像データの個数ＨＣ未満である）と判定された場合（ステップＳ４１７でＮＯ）には、カウンタｋの値に初期値として１が設定され（ステップＳ４１９）、ステップＳ４０５に戻り、ステップＳ４０５〜ステップＳ４１５の処理が繰り返し実行される。横長プリント画像データの個数ＨＣ以上であると判定された場合（ステップＳ４１７でＹＥＳ）には、カウンタｈ及びカウンタｋの値に初期値として１が設定される（ステップＳ４２１）。
【００９６】
そして、第ｈ番目の縦長画像データがＨＤＤ２６から読み込まれ（ステップＳ４２３）、読み込まれた縦長画像データが縦長プリント用テンプレートに嵌め込まれる（合成される）（ステップＳ４２５）。次いで、カウンタｋの値が縦長画像数ＶＮ０以上であるか否かの判定が行われる（ステップＳ４２７）。
【００９７】
縦長画像数ＶＮ０以上ではない（縦長画像数ＨＮ０未満である）と判定された場合（ステップＳ４２７でＮＯ）には、カウンタｈの値が縦長プリント画像データの個数ＶＣ以上であるか否かの判定が行われる（ステップＳ４２９）。縦長プリント画像データの個数ＶＣ以上ではない（縦長プリント画像データの個数ＶＣ未満である）と判定された場合（ステップＳ４２９でＮＯ）には、カウンタｈ及びカウンタｋの値が１だけインクリメントされ（ステップＳ４３１）、ステップＳ４２３に戻りステップＳ４２３からステップＳ４２７の処理が繰り返し実行される。ステップＳ４２７において縦長画像数ＶＮ０以上であると判定された場合（ステップＳ４２７でＹＥＳ）、または、ステップＳ４２９において縦長プリント画像データの個数ＶＣ以上であると判定された場合（ステップＳ４２９でＹＥＳ）には、縦長掲示用見本をプリントする旨の指示情報が出力装置１に対して送信される（ステップＳ４３３）。
【００９８】
つぎに、カウンタｈの値が縦長プリント画像データの個数ＶＣ以上であるか否かの判定が行われる（ステップＳ４３５）。縦長プリント画像データの個数ＶＣ以上ではない（縦長プリント画像データの個数ＶＣ未満である）と判定された場合（ステップＳ４３５でＮＯ）には、カウンタｋの値に初期値として１が設定され（ステップＳ４３７）、ステップＳ４２３に戻り、ステップＳ４２３〜ステップＳ４３３の処理が繰り返し実行される。縦長プリント画像データの個数ＶＣ以上であると判定された場合（ステップＳ４３５でＹＥＳ）には、処理が終了される。
【００９９】
図１３は、横長掲示用見本の一例を示す説明図である。横長掲示用見本ＰＴＰには、縦方向に４枚、横方向に４枚の合計１６枚のＣサイズの写真の画像データが嵌めこまれている写真嵌め込み部Ｐ１〜Ｐ１６と、上端部左側に行事名として「きらきら星幼稚園  ピクニックデー」が嵌めこまれるタイトル部ＴＬと、上端部右側に行事識別情報として「３８」が嵌めこまれる識別部ＡＮとが表記されている。写真嵌め込み部Ｐ１〜Ｐ１６にはそれぞれの画像データに対応する写真識別情報が所定の文字情報（ここでは、「７８３〜７９８」）として嵌めこまれている写真識別部Ｐ１Ｎ〜Ｐ１６Ｎが表記されている。
【０１００】
このように、出力装置１によって掲示用見本が出力されるため、従来写真館またはＤＰ店等の作業者によって行われていた、見本写真プリントを貼り並べて掲示用見本を作成する作業が不要となり、受注者（プリント業者）側の作業負荷が軽減される。また、見本写真プリントを貼り並べて生成された掲示用見本と比較して、出力装置１から出力された掲示用見本は、凹凸も手書きの箇所もないため、見映えのよい掲示用見本が得られる。
【０１０１】
図１４は、注文受付票の一例を示す説明図である。注文受付票ＳＮＰには、縦方向に１０枚、縦方向に５枚の合計５０枚のＣサイズを１／５に縮小した写真の画像データが嵌めこまれている写真嵌め込み部Ｐ１Ｓ〜Ｐ５０Ｓと、上端部左側に行事名として「眼鏡」が嵌めこまれるタイトル部ＴＬＳと、上端部右側に行事識別情報として「３」が嵌めこまれる識別部ＡＮＳとが表記されている。写真嵌め込み部Ｐ１Ｓ〜Ｐ５０Ｓの上側にはそれぞれの画像データに対応する写真識別情報が所定の文字情報（ここでは、「１〜５０」）として嵌めこまれている写真識別部Ｐ１ＳＮ〜Ｐ５０ＳＮが表記され、写真嵌め込み部Ｐ１Ｓ〜Ｐ５０Ｓの下側にはそれぞれの注文情報（プリント枚数及びプリントサイズ）が申込者によって記入される注文枚数記入欄Ｐ１ＳＭ〜Ｐ５０ＳＭが表記されている。
【０１０２】
このように、出力装置１によって注文受付票が出力されるため、利用者は注文受付票にプリントされた写真と掲示用見本とを参照して注文受付票に注文枚数等を記入することができるため、利用者の利便性が向上される。
【０１０３】
なお、本発明は以下の形態をとることができる。
【０１０４】
（Ａ）本実施形態においては、サーバ装置３が圧縮解凍部３１１ａ、画像情報記憶部３２ａ、注文情報記憶部３２ｂ及びレイアウト記憶部３２ｃを備える場合について説明したが、端末装置２が圧縮解凍部３１１ａ、画像情報記憶部３２ａ、注文情報記憶部３２ｂ及びレイアウト記憶部３２ｃを備える形態でもよい。すなわち、本発明の写真処理装置が、端末装置２と出力装置１とから構成される形態でもよい。
【０１０５】
（Ｂ）本実施形態においては、端末装置２がパーソナルコンピュータからなる場合について説明したが、専用のハードウェアを備える形態でもよい。また、本実施形態においては、端末装置２が出力装置１と通信可能に接続されている場合について説明したが、端末装置２が出力装置１の一部に組み込まれている形態でもよい。
【０１０６】
（Ｃ）本実施形態においては、画像受付部２１１ａがフィルムスキャナ２４及びメモリリーダ２５からの画像データを受け付ける場合について説明したが、フィルムスキャナ２４及びメモリリーダ２５の少なくとも一方からの画像データを受け付ける形態でもよいし、インターネット等のネットワークを介して画像データを受け付ける形態でもよい。
【０１０７】
（Ｄ）本実施形態においては、出力制御部２１１ｃが注文受付部２１１ｂによる注文情報の受付処理が終了した後に、出力装置１に対してプリントする旨の出力指示情報を送信する場合について説明したが、注文受付部２１１ｂによって利用者毎の注文情報の受付処理が終了する度に、出力装置１に対してプリントする旨の出力指示情報を送信する形態でもよい。この場合には、注文受付処理と、プリント処理とを並行して行うことができるため、作業効率が向上する。
【０１０８】
（Ｅ）本実施形態においては、出力装置１のソータ１７が複数のビン１７ａ〜１７ｅを備える場合について説明したが、出力装置１のソータ１７が同一平面上に設定された複数の積載位置に、プリントされた感光材片１１Ａをコンベア等によって搬送して積層する形態でもよい。
【図面の簡単な説明】
【０１０９】
【図１】本発明が適用される写真処理装置の概略構成図の一例である。
【図２】図１に示す写真処理装置を用いた写真プリントの受注及び配送処理の手順の概要を示す説明図の一例である。
【図３】端末装置のハード構成図の一例である。
【図４】サーバ装置のハード構成図の一例である。
【図５】本発明が適用される写真処理装置の主要部の機能構成図の一例である。
【図６】注文受付部によって行われる注文受付処理のフローチャートの一例である。
【図７】注文受付部によって行われる注文受付処理においてモニタに表示される種々の画面の画面図の一例である。
【図８】注文受付部によって行われる注文受付処理においてモニタに表示される種々の画面の画面図の一例である。
【図９】出力制御部によって行われる出力指示処理のフローチャートの一例である。
【図１０】レイアウト記憶部に格納されている掲示用見本の縦長プリント用レイアウト情報及び横長プリント用レイアウト情報の一例を示す説明図である。
【図１１】見本出力制御部等によって行われる掲示用見本の出力指示処理のフローチャートの一例である。
【図１２】図１１に示すフローチャートのステップＳ３２１において行われる出力指示処理の詳細フローチャートの一例である。
【図１３】横長掲示用見本の一例を示す説明図である。
【図１４】注文受付票の一例を示す説明図である。
【符号の説明】
【０１１０】
１  出力装置
２  端末装置
２１  制御部
２１１  ＣＰＵ
２１１ａ  画像受付部
２１１ｂ  注文受付部（注文受付手段）
２１１ｃ  出力制御部（出力手段の一部）
２１１ｄ  縦横判別部
２１１ｅ  レイアウト選択部
２１１ｆ  見本出力制御部
２２  操作部
２３  メモリリーダ
２４  フィルムスキャナ
２６  ＨＤＤ
３  サーバ装置
３１  制御部
３１１  ＣＰＵ
３１１ａ  圧縮解凍部（圧縮解凍手段）
３２  ＨＤＤ
３２ａ  画像記憶部（画像記憶手段）
３２ｂ  注文情報記憶部（注文情報記憶手段）
３２ｃ  レイアウト記憶部
【図１】
2005181653.tif 000003
【図２】
2005181653.tif 000004
【図３】
2005181653.tif 000005
【図４】
2005181653.tif 000006
【図５】
2005181653.tif 000007
【図６】
2005181653.tif 000008
【図７】
2005181653.tif 000009
【図８】
2005181653.tif 000010
【図９】
2005181653.tif 000011
【図１０】
2005181653.tif 000012
【図１１】
2005181653.tif 000013
【図１２】
2005181653.tif 000014
【図１３】
2005181653.tif 000015
【図１４】
2005181653.tif 000016